(57)【要約】      （修正有）【課題】天井走行車及び給電レールの保守作業を行うときの作業員の安全を確保できる安全確認ランプを提供する。【解決手段】ベース１０及び集電ブラシ２０から構成される。ベース１０は、ベース上蓋１０１とベース底台１０２を含み、ベース上蓋１０１には、三相発光ダイオード１０１１が配置され、ベース底台１０２には、３８０Ｖと２２０Ｖとの切り替えを行う変圧器が３つ配置される。集電ブラシ２０は、ベース１０の上方に配置され、天井走行車及び給電レール３と接触する上、ベース底台１０２の３つの変圧器の電線と接続される。【選択図】図１
0003164773.tif 000002
【実用新案登録請求の範囲】
【請求項１】
ベース及び集電ブラシを備え、
前記ベースは、ベース上蓋及びベース底台を含み、
前記ベース上蓋の内側には、三相（Ｒ相、Ｓ相及びＴ相）発光ダイオードが配置され、
前記ベース底台の内側には、３８０Ｖと２２０Ｖとの切り替えを行う３つの変圧器が配置され、
前記集電ブラシは、天井走行車及び給電レールの下方に配置され、前記天井走行車及び給電レールに接触して電力を集電し、
前記ベースは、前記集電ブラシの下方に配置され、前記ベース底台の前記３つの変圧器の電線は、前記集電ブラシの電線と接続され、
前記ベース内の３つの変圧器の電線は、前記三相発光ダイオードの電線と接続される上、前記ベースの上方に設けられた孔を貫通して前記集電ブラシの電線と接続され、
前記集電ブラシの上方が前記天井走行車及び給電レールに接触することにより、前記天井走行車及び給電レール上の電力が集電され、その後、前記三相発光ダイオードに伝達され、
前記三相発光ダイオードが電力を受けたとき、前記三相発光ダイオードの３つのランプがすべて点灯した場合、前記天井走行車及び給電レールは、通電状態であり、正常に運転されていることを示し、前記３つのランプがすべて消灯している場合、前記天井走行車及び給電レールには、通電されていないことを示し、このとき、前記天井走行車及び給電レールの設置又は保守作業を行うことができることを特徴とする天井走行車及び給電レール用の安全確認ランプ。
【請求項２】
前記天井走行車及び給電レール用の安全確認ランプ上の三相発光ダイオードランプがすべて点灯した場合、前記天井走行車及び給電レールは、通電状態であることを示し、前記三相発光ダイオードランプ中の１つ又は２つが消灯している場合、前記天井走行車及び給電レールは、通電状態であるが、線路に問題があり、修理が必要であることを示すことを特徴とする請求項１記載の天井走行車及び給電レール用の安全確認ランプ。
【考案の詳細な説明】
【技術分野】
【０００１】
本考案は、天井走行車及び給電レール用の安全確認ランプの構造に関し、特に、天井走行車及び給電レールを操作したり、保守したりするとき、作業者の安全を確保することができる天井走行車及び給電レール用の安全確認ランプに関する。
【背景技術】
【０００２】
一般に、製鉄工場、建設現場などでは、天井走行車及び給電レールにより、重量の重い物品が吊架されて搬送される。天井走行車及び給電レールは、重量の重い物品が吊架されて搬送される時間が長いため、故障が発生する割合が非常に高い。従って、天井走行車及び給電レールの電源をオフにし、保守作業を頻繁に行う必要がある。しかし、作業者が保守作業を行っているとき、他の作業者が不注意から電源をオンにした場合、作業者が感電するという大きな事故が発生してしまう。そこで、作業を安全に行うために、予防措置を講じる必要がある。
【０００３】
本考案の考案者は、天井走行車及び給電レールの製造に数十年従事しており、上述の事故の発生に鑑み、作業者の安全を確保するため、本考案の天井走行車及び給電レール用の安全確認ランプを案出した。
【先行技術文献】
【特許文献】
【０００４】
【特許文献１】特開２００９−１０４３５７号公報
【考案の概要】
【考案が解決しようとする課題】
【０００５】
本考案の目的は、天井走行車及び給電レールの保守作業を行うときの安全性を随時確認することができる天井走行車及び給電レール用の安全確認ランプを提供することにある。
【課題を解決するための手段】
【０００６】
上述の課題を解決するため、本考案の天井走行車及び給電レール用の安全確認ランプは、ベース及び集電ブラシから構成される。ベースは、ベース上蓋及びベース底台を含む。ベース上蓋には、三相（Ｒ相、Ｓ相及びＴ相）発光ダイオード（ＬＥＤ）が配置される。ベース底台には、３８０Ｖと２２０Ｖとの切り替えを行う変圧器が３つ配置される。集電ブラシは、ベースの上方に配置され、天井走行車及び給電レールと接触する上、ベース底台の３つの変圧器の電線と接続される。
【０００７】
集電ブラシから伝達された電力は、変圧器によって変圧された後、三相発光ダイオードに伝達される。これにより、天井走行車及び給電レール用の安全確認ランプが点灯する。三相発光ダイオードランプがすべて点灯した場合、天井走行車及び給電レールは、通電状態であり、正常に運転されていることを示す。また、三相発光ダイオードランプがすべて消灯している場合、天井走行車及び給電レールには、通電されていないことを示す。このとき、天井走行車及び給電レールの設置又は保守作業を行うことができる。また、三相発光ダイオードランプの１つ又は２つのランプが消灯している場合、天井走行車及び給電レールの線路に問題があり、修理が必要であることを示す。
【０００８】
また、集電ブラシ及びベースは、天井走行車及び給電レールが通電状態のときでも手で嵌入させることができ、天井走行車及び給電レールの電源を遮断したり、ねじを使用して電源と接続固定したりする必要がないため、電源をオンにするときの危険を回避することができる。即ち、本考案の天井走行車及び給電レール用の安全確認ランプにより、作業者の安全を確保することができる。
【考案の効果】
【０００９】
天井走行車及び給電レール用の安全確認ランプの三相発光ダイオードランプがすべて点灯した場合、天井走行車及び給電レールは、通電状態であり、正常に運転されていることを示す。また、天井走行車及び給電レール用の安全確認ランプの三相発光ダイオードランプがすべて消灯している場合、天井走行車及び給電レールには、通電されていないことを示す。このとき、天井走行車及び給電レールの設置又は保守作業を行うことができる。また、天井走行車及び給電レール用の安全確認ランプの三相発光ダイオードランプの１つ又は２つのランプが消灯している場合、天井走行車及び給電レールの線路に問題があり、修理が必要であることを示す。このとき、天井走行車及び給電レールの電源をオフにし、修理作業を行う。これにより、天井走行車及び給電レールの保守作業を行うときの作業者の安全を確保することができる。
また、集電ブラシ及びベースは、天井走行車及び給電レールが通電状態のときでも手で嵌入させることができ、天井走行車及び給電レールの電源を遮断したり、ねじを使用して電源と接続固定したりする必要がないため、電源をオンにするときの危険を回避することができる。即ち、本考案の天井走行車及び給電レール用の安全確認ランプは、新規性、進歩性及び実用性を有する。また、天井走行車及び給電レールの保守作業を行うときの安全性を高め、高所作業者の安全を確保し、保守作業をスムーズに行うことができる。
【図面の簡単な説明】
【００１０】
【図１】本考案の一実施形態による天井走行車及び給電レール用の安全確認ランプを示す斜視図である。
【図２】本考案の一実施形態による天井走行車及び給電レール用の安全確認ランプを示す一部透視図である。
【図３】本考案の一実施形態による天井走行車及び給電レール用の安全確認ランプを示す断面図である。
【考案を実施するための形態】
【００１１】
本考案の目的、特徴および効果を示す実施形態を図面に沿って詳細に説明する。
【００１２】
図１〜図３を参照する。図１〜図３に示すように、本考案の一実施形態による天井走行車及び給電レール用の安全確認ランプ１は、主に、ベース１０及び集電ブラシ２０から構成される。ベース１０は、ベース上蓋１０１及びベース底台１０２を含む。ベース上蓋１０１の内面には、三相（Ｒ相、Ｓ相及びＴ相）発光ダイオード（ＬＥＤ）１０１１が配置される。ベース底台１０２の内側には、３８０Ｖと２２０Ｖとの切り替えを行うために使用される変圧器１０２１が３つ配置される。集電ブラシ２０の上方は、天井走行車及び給電レール３と接触し、電力が集電される。また、集電ブラシ２０の下方の電線は、ベース底台１０２内の３つの変圧器１０２１の電線と接続される。また、集電ブラシ２０を介して天井走行車及び給電レール３から集電された電力は、ベース上蓋１０１の内面の三相発光ダイオード１０１１に伝達される。これにより、三相発光ダイオード１０１１は、点灯する。
【００１３】
天井走行車及び給電レール用の安全確認ランプ１と天井走行車及び給電レール３とが接続されたとき、天井走行車及び給電レール用の安全確認ランプ１の三相発光ダイオード１０１１ランプがすべて点灯した場合、天井走行車及び給電レール３は、通電状態であり、正常に運転されていることを示す。また、天井走行車及び給電レール用の安全確認ランプ１の三相発光ダイオード１０１１ランプがすべて消灯している場合、天井走行車及び給電レール３には、通電されていないことを示す。このとき、天井走行車及び給電レール３の設置又は保守作業を行うことができる。また、天井走行車及び給電レール用の安全確認ランプ１の三相発光ダイオード１０１１ランプの１つ又は２つのランプが消灯している場合、天井走行車及び給電レール３の線路に問題があり、修理が必要であることを示す。このとき、天井走行車及び給電レール３の電源をオフにし、修理作業を行う。これにより、天井走行車及び給電レール３の保守作業を行うときの作業員の安全を確保することができる。また、集電ブラシ２０及びベース１０は、天井走行車及び給電レール３が通電状態のときでも手で嵌入させることができ、天井走行車及び給電レール３の電源を遮断したり、ねじを使用して電源と接続固定したりする必要がないため、電源をオンにするときの危険を回避することができる。即ち、本考案の天井走行車及び給電レール用の安全確認ランプ１は、新規性、進歩性及び実用性を有する。また、天井走行車及び給電レール３の保守作業を行うときの安全性を高め、高所作業者の安全を確保し、保守作業をスムーズに行うことができる。
【００１４】
上述の説明における名称及び内容は、本考案を説明するためのものであり、本考案の範囲を限定するものではない。また、本考案の主旨を逸脱しない範囲における同等効果の修飾又は変更は、すべて本考案の範囲に含まれる。
【符号の説明】
【００１５】
１  天井走行車及び給電レール用の安全確認ランプ
３  天井走行車及び給電レール
１０  ベース
２０  集電ブラシ
１０１  ベース上蓋
１０２  ベース底台
１０１１  三相（Ｒ相、Ｓ相及びＴ相）発光ダイオード
１０２１  変圧器
【図１】
0003164773.tif 000003
【図２】
0003164773.tif 000004
【図３】
0003164773.tif 000005